(57)【要約】【課題】利便性の高い収納室が設けられた建物を提供する。【解決手段】住宅１０には、全館空調システムが設置されており、全館空調システムの吹出し口４０Ａが、キッチン１６の外壁部１２Ａ、１２Ｂの角部分に設置されている。キッチン１６では、吹出し口４０Ａの周囲が、一対の仕切り壁４６、外壁部１２Ｂ及び扉４８によって囲われて収納室５０が形成されている。収納室５０は、換気口５４が開かれる共に吹出し口４０Ａが閉じられることで、内部が外気と同様の温度にされ、換気口５４が閉じられると共に、吹出し口４０Ａが開かれることで、内部が過空調状態にされる。これにより、収納室５０は、保冷室又は保温室として用いることができて、利便性が向上される。【選択図】図１
2020041745.tif 000002
【特許請求の範囲】
【請求項１】
複数の吹出し口の各々から吹き出す空調風によって屋内を常時空調する全館空調装置と、
屋内において少なくとも一つの前記吹出し口の周囲が区画壁によって区画され、前記全館空調装置により過空調可能にされた収納室と、
を有する建物。
【請求項２】
前記区画壁内に断熱材が設けられている請求項１に記載の建物。
【請求項３】
前記収納室に設けられた前記吹出し口を開閉可能な吹出し口開閉手段と、
開口されることで前記収納室と屋外とを連通する換気部と、
前記換気部の開口を開閉する換気部開閉手段と、
を有する請求項１又は請求項２に記載の建物。
【請求項４】
前記全館空調装置は、屋外と屋内とを連通して外気を導入可能とする外気導入ダクトを有し、
前記換気部は、一端側が前記外気導入ダクトに連結され、他端側が前記収納室内に開口された分岐ダクトを有し、
前記換気部開閉手段は、前記外気導入ダクトの前記分岐ダクト側開口を開閉する請求項３に記載の建物。
【請求項５】
前記収納室に設けられた前記吹出し口を開閉可能な吹出し口開閉手段と、
前記収納室と屋内とを連通する通気部と、
前記通気部を開閉する通気部開閉手段と、
を有する請求項１から請求項４の何れか１項に記載の建物。
【請求項６】
前記通気部は、随時換気手段が設けられた台所に開口されている請求項５に記載の建物。
【請求項７】
開口されることで前記収納室と屋外とを連通する換気部と、
前記換気部の開口を開閉する換気部開閉手段と、
前記収納室と屋内とを連通する通気部と、
前記通気部を開閉する通気部開閉手段と、
前記収納室に設けられた前記吹出し口を開閉可能な吹出し口開閉手段と、
外気温度、及び前記全館空調装置によって空調される内気温度を検出する温度検出手段と、
前記内気温度と前記外気温度とに基づいて前記収納室内が所定温度となるように前記換気部開閉手段、前記通気部開閉手段及び前記吹出し口開閉手段を操作する制御部と、
を有する請求項１又は請求項２に記載の建物。
【請求項８】
前記制御部は、前記収納室内の温度が低くなるように、前記換気部開閉手段、前記通気部開閉手段及び前記吹出し口開閉手段を操作する請求項７に記載の建物。
【発明の詳細な説明】
【技術分野】
【０００１】
本発明は、全館空調機能を備える建物に関する。
【背景技術】
【０００２】
近年、住宅においては、空調設備の設置が一般化している。また、住宅では、断熱性能が向上されており、断熱性能が向上されることで空調設備による空調効率が向上されている。このような住宅においては、常時換気及び常時空調を行なう全館空調システムが普及しつつある。
【０００３】
ところで、住宅では、冬季に室内が暖房されることで室内温度が居住者にとって快適な暖房温度に維持されるが、居住者にとっての快適な暖房温度は、食品類に傷みなどが生じ易い温度となっている。このために、居住者にとっての快適な暖房温度では、食品類の保存性が低下する。
【０００４】
ここから、特許文献１には、保冷室付きの住宅が提案されている。特許文献１の住宅では、外壁と断熱材が設けられた仕切り壁とによって区画されて屋外との間に換気手段を備えた保冷室が形成されており、冬季において保冷室に収納された食品類は、外気によって冷却される。
【先行技術文献】
【特許文献】
【０００５】
【特許文献１】特開２００５−０６８９４２号公報
【発明の概要】
【発明が解決しようとする課題】
【０００６】
しかしながら、冬季において外気を導入して内部温度が低く保たれるようにした保冷室では、保冷室として機能する季節や住宅内における設置位置が限定されるため改善の余地がある。
【０００７】
本発明は上記事実に鑑みてなされたものであり、利便性の高い収納室が設けられた建物の提供を目的とする。
【課題を解決するための手段】
【０００８】
本発明の建物は、以下の態様を含む。
第１の態様の建物は、複数の吹出し口の各々から吹き出す空調風によって屋内を常時空調する全館空調装置と、屋内において少なくとも一つの前記吹出し口の周囲が区画壁によって区画され、前記全館空調装置により過空調可能にされた収納室と、を有する。
【０００９】
第１の態様の建物では、全館空調装置が屋内の略全域の暖房、冷房及び換気を常時（２４時間）行なう。また、屋内には、収納室が設けられており、収納室は、屋内において吹出し口の周囲が区画壁によって囲われることで区画され、吹出し口から吹き出される空調風によって過空調可能に形成されている。これにより、収納室は、屋内の他の領域に比して、暖房時に温度が高くなり（過暖房）、冷房時に温度が低くなる（過冷房）。
【００１０】
これにより、収納室は、夏季において食料品などの収納に用いることができ、冬季などにおいて比較的温度の高い環境下に維持する必要のある動植物や物品等の収納が可能になり、屋内に設ける収納室の利便性を向上できる。
【００１１】
第２の態様の建物は、第１の態様の建物において、前記区画壁内に断熱材が設けられている。
【００１２】
第２の態様の建物では、収納室を区画にする区画壁に断熱材が用いられており、収納室内は、断熱材によって屋内の他の領域から断熱されている。このため、収納室は、効率的に過空調状態などに維持可能になる。
【００１３】
第３の態様の建物は、第１又は第２の態様の建物において、前記収納室に設けられた前記吹出し口を開閉可能な吹出し口開閉手段と、開口されることで前記収納室と屋外とを連通する換気部と、前記換気部の開口を開閉する換気部開閉手段と、を有する。
【００１４】
第３の態様の建物では、収納室内に空調風を吹き出す全館空調装置の吹出し口、及び収納室と屋外とを換気可能に連通する換気部が設けられており、吹出し口が吹出し口開閉手段によって開閉可能にされ、換気部が換気部開閉手段によって開閉可能にされている。
【００１５】
このため、収納室は、例えば、外気温が低い冬季において、吹出し口開閉手段によって吹出し口が閉じられると共に、換気部開閉手段によって換気部が開かれ、外気温が高い夏季において、吹出し口開閉手段によって吹出し口が開かれると共に、換気部開閉手段によって換気部が閉じられる。これにより収納室は、内部の温度が低くされる。
【００１６】
また、収納室は、例えば、外気温が高い夏季において、吹出し口開閉手段によって吹出し口が閉じられると共に、換気部開閉手段によって換気部が開かれ、外気温が低い冬季において、吹出し口開閉手段によって吹出し口が開かれると共に、換気部開閉手段によって換気部が閉じられる。これにより、収納室は、内部の温度が高くされる。
【００１７】
これにより、収納室は、保冷室又は保温室として用いることができるので、利便性が向上される。
【００１８】
第４の態様の建物は、第３の態様の建物において、前記全館空調装置は、屋外と屋内とを連通して外気を導入可能とする外気導入ダクトを有し、前記換気部は、一端側が前記外気導入ダクトに連結され、他端側が前記収納室内に開口された分岐ダクトを有し、前記換気部開閉手段は、前記外気導入ダクトの前記分岐ダクト側開口を開閉する。
【００１９】
第４の態様の建物では、全館空調装置が外気を導入する外気導入ダクトに分岐ダクトが設けられており、分岐ダクトは、収納室に開口されて換気部開閉手段によって開閉される。このため、収納室は、外壁に接していない場合でも内部に外気の導入が可能になるので、収納室は、設置の自由度が高くなる。
【００２０】
第５の態様の建物は、第１から第４のいずれか１の態様の建物において、前記収納室に設けられた前記吹出し口を開閉可能な吹出し口開閉手段と、前記収納室と屋内とを連通する通気部と、前記通気部を開閉する通気部開閉手段と、を有する。
【００２１】
第５の態様の建物では、収納室内に空調風を吹き出す全館空調装置の吹出し口、及び収納室と屋内とを連通する通気部が設けられており、吹出し口が吹出し口開閉手段によって開閉可能にされ、通気部が通気部開閉手段によって開閉可能にされている。
【００２２】
このため、収納室は、吹出し口開閉手段によって開かれると共に、通気部が通気部開閉手段によって開かれることで、内部（収納室内）が効率的に過空調状態にできる。
【００２３】
第６の態様の建物は、第５の態様の建物において、前記通気部は、随時換気手段が設けられた台所に開口されている。
【００２４】
第６の態様の建物では、通気部が台所に向けて開口されている。台所には、換気扇やレンジファンなどの強制換気を行なうための随時換気手段が設けられている。このため、収納室内の空気を通気部から効率的に排気できるので、収納室内の過空調状態を効果的に維持できる。
【００２５】
第７の態様の建物は、第１又は第２の態様の建物において、開口されることで前記収納室と屋外とを連通する換気部と、前記換気部の開口を開閉する換気部開閉手段と、前記収納室と屋内とを連通する通気部と、前記通気部を開閉する通気部開閉手段と、前記収納室に設けられた前記吹出し口を開閉可能な吹出し口開閉手段と、外気温度、及び前記全館空調装置によって空調される内気温度を検出する温度検出手段と、前記内気温度と前記外気温度とに基づいて前記収納室内が所定温度となるように前記換気部開閉手段、前記通気部開閉手段及び前記吹出し口開閉手段を操作する制御部と、を有する。
【００２６】
第７の態様の建物では、制御部が温度検出手段によって検出する外気温度及び内気温度に基づいて、収納室内が所定の温度となるように、換気部開閉手段、通気部開閉手段及び吹出し口開閉手段の操作を制御する。これにより、収納室は、例えば食品類などが収納された際に、内部温度が効率よく低い温度に維持される。
【００２７】
第８の態様の建物は、第７の態様の建物において、前記制御部は、前記収納室内の温度が低くなるように、前記換気部開閉手段、前記通気部開閉手段及び前記吹出し口開閉手段を操作する。
【００２８】
第８の態様の建物では、制御部が、内気温度及び外気温度に基づいて、収納室内の温度が低くなるように、換気部開閉手段、通気部開閉手段及び吹出し口開閉手段を操作する。例えば、外気温度が内気温度より低い場合に、換気部を開くと共に、吹出し口及び通気部を閉じ、外気温度が内気温度より高い場合に、換気部を閉じると共に、吹出し口及び通気部を開く。これにより、収納室は、外気温の高い夏季及び外気音の低い冬季の各々において内部温度が効果的に低い温度にされる。
【発明の効果】
【００２９】
以上説明したように、本発明の建物は、屋内に設けられる収納室の利便性を向上できる、という効果を有する。
【図面の簡単な説明】
【００３０】
【図１】本実施形態に係る住宅の主要部を示す平面図である。
【図２】全館空調システムの主要部の概略構成図である。
【図３】（Ａ）及び（Ｂ）は、住宅の主要部を示す概略平面図であり、（Ａ）は、冬季を示し、（Ｂ）は夏季を示す。
【図４】変形例１に係る操作装置の概略構成図である。
【図５】変形例２に係る住宅の主要部を示す平面図である。
【図６】（Ａ）及び（Ｂ）は、変形例における住宅の主要部を示す概略平面図であり、（Ａ）は冬季を示し、（Ｂ）は夏季を示す。
【発明を実施するための形態】
【００３１】
以下、図面を参照して本発明の実施形態を詳細に説明する。
本実施形態では、建物としての住宅１０を例に説明する。住宅１０は、躯体が木造構造などの任意の構造を適用でき、本実施形態の住宅１０は、躯体が鉄骨軸組構造や鉄骨ラーメン構造などの軽量鉄骨構造とされている。また、住宅１０は、平屋であってもよく、２階建て又は２階建て以上であってもよい。図１には、住宅１０の１階部分の主要部が平面図にて示されている。
【００３２】
図１に示すように、住宅１０は、外周が外壁部１２によって囲われている。外壁部１２は、屋外側の外壁材１４Ａと屋内側の内壁材（内壁下地）１４Ｂとの間に断熱材１４Ｃが充填されている。断熱材１４Ｃには、硬質発泡ウレタンフォーム等の発泡プラスチック系断熱材料、グラスウール等の繊維系断熱材料などが用いられている。住宅１０は、断熱材１４Ｃによって屋外に対して屋内が断熱されている。
【００３３】
住宅１０には、外壁部１２としての外壁部１２Ａと外壁部１２Ｂとの角部側にキッチン（台所）１６が配置され、キッチン１６の外壁部１２Ｂとは反対側にダイニング（食堂）１８が配置されている。キッチン１６とダイニング１８との間には、流し台（シンク）２０が設置され、流し台２０の外壁部１２Ａ側には、レンジ２２が設置されている。また、キッチン１６には、流し台２０とは反対側（外壁部１２Ｂ側）に食器棚２４Ａ及び冷蔵庫２４Ｂが設置されている。
【００３４】
住宅１０では、レンジ２２のダイニング１８側に仕切り壁２２Ａが形成されている。住宅１０では、キッチン１６とダイニング１８とが流し台２０側において連続されており、住宅１０には、ダイニング１８の外壁部１２Ａとは反対側にリビング（居間）１８Ａが配置され、ダイニング１８とリビング１８Ａとが連続されている。
【００３５】
住宅１０には、リビング１８Ａの外壁部１２Ｂ側に廊下２６Ａが配置され、廊下２６Ａは、キッチン１６から外壁部１２Ｂに沿って延設されている。外壁部１２Ｂと廊下２６Ａとの間には、キッチン１６側から洗面室２６Ｂ、浴室２６Ｃ及びトイレ２６Ｄが順に配置されており、洗面室２６Ｂ及びトイレ２６Ｄは、廊下２６Ａから出入可能にされている。
【００３６】
キッチン１６には、随時換気手段としての換気扇２８が設置されており、換気扇２８は、外壁部１２Ａのレンジ２２上部に外壁部１２Ａを貫通して設定されている。換気扇２８は、作動されることでレンジ２２の近傍を含むキッチン１６内の空気を屋外に排気する（随時換気）。なお、換気扇２８は、レンジ２２の上方を覆う図示しないレンジフード内に取り付けられていてもよい。
【００３７】
一方、住宅１０には、全館空調装置としての全館空調システム３０が設置されており、全館空調システム３０は、住宅１０内の常時空調機能（２４時間空調機能）及び第１種換気機能（２４時間機械換気機能）を備えている。図２には、全館空調システム３０の主要部が住宅１０の１階部分の側方視の概略図にて示されている。
【００３８】
図２に示すように、全館空調システム３０は、住宅１０の屋内に設置される室内機３２及び屋外に設置される室外機（図示省略）を備えており、室内機３２と室外機との間では、冷媒が循環される。室内機３２は、１階の天井３４の上側（天井裏３４Ａ）内に取り付けられている。なお、全館空調システム３０は、１台の室内機３２によって１階及び２階の空調を担ってもよく、室内機３２が１階の空調を担い、室内機３２とは別に２階の空調を担う室内機が設置されていてもよい。
【００３９】
住宅１０には、天井裏３４Ａ内に外気導入ダクト３６及び排気ダクト（図示省略）が敷設されており、外気導入ダクト３６及び排気ダクトは、各々の一端が室内機３２に連結され、他端が外壁部１２を貫通して屋外に向けて開口されている。
【００４０】
住宅１０の天井３４には、一つ又は複数の取込口（吸込み口）３８及び複数の吹出し口４０が取り付けられており、取込口３８及び吹出し口４０の各々は、天井３４の下側（居室内）に開口されている。また、住宅１０の天井裏３４Ａ内には、取込ダクト４２及び給気ダクト４４が敷設されている。取込ダクト４２は、一端が室内機３２に連結され、他端が取込口３８の各々に接続されている。また、給気ダクト４４は、一端が室内機３２に連結され、他端が吹出し口４０の各々に接続されている。
【００４１】
室内機３２は、空調ユニット、熱交換ユニット（換気ユニット）及び送風ファン（何れも図示省略）を備えている。室内機３２では、送風ファンが作動されることで、外気導入ダクト３６を介して外気が取り込まれると共に、取込口３８及び取込ダクト４２を介して屋内の空気（内気）が取り込まれる。また、室内機３２では、熱交換ユニットにおいて内気と外気との間で熱交換が行なわれ、熱交換された内気が送風ファンによって排気ダクトを介して屋外に排出される。
【００４２】
さらに、室内機３２では、空調ユニットにおいて、熱交換された外気が冷媒によって温調されて新鮮な空調風（空調空気）が生成され、生成された空調風が送風ファンによって給気ダクト４４に供給されて、吹出し口４０から屋内に吹き出される。
【００４３】
取込口３８は、廊下２６Ａ、洗面室２６Ｂ或いはトイレ２６Ｄなどに設置されている（図１では、図示省略）。また、図１に示すように、吹出し口４０は、ダイニング１８の外壁部１２Ａ側、リビング１８Ａのダイニング１８側などに設置されている。なお、取込口３８は、室内機３２の熱交換ユニット側に設けられてもよい。
【００４４】
これにより、住宅１０では、吹出し口４０の各々から吹き出される空調風が屋内を循環されて、取込口３８から室内機３２内に取り込まれ、住宅１０は、屋内の換気が行われると共に、外気温度の低い冬季などには屋内が暖房され、外気温度の高い夏季などには屋内が冷房される。
【００４５】
一方、住宅１０では、通常、吹出し口４０から吹き出される空調風が屋内に循環されることで、吹出し口４０の直近近傍において過空調状態となるのが抑制される。しかし、吹出し口４０の直近近傍においては、吹出し口４０から吹き出された空調風が滞留した場合に過空調状態になり易い。
【００４６】
ここで、図１に示すように、住宅１０には、キッチン１６において外壁部１２Ａと外壁部１２Ｂとの角部分に吹出し口４０の一つ（以下、吹出し口４０Ａという）が取り付けられている。また、キッチン１６には、区画壁としての一対の仕切り壁（間仕切り）４６が設けられており、一対の仕切り壁４６は、一方が外壁部１２Ａ側に形成され、他方が食器棚２４Ａの外壁部１２Ａ側に形成され、キッチン１６の床から天井に跨って形成されている。さらに、一対の仕切り壁４６のレンジ２２側には、扉４８が取り付けられている。
【００４７】
これにより、住宅１０では、吹出し口４０Ａの周囲が外壁部１２Ｂ、一対の仕切り壁４６及び扉４８によって囲われ、収納室５０が形成されている。収納室５０では、吹出し口４０Ａの周囲が囲われることで、吹出し口４０Ａから吹出された空調風が滞留し易い過空調領域（空間）にされている。また、収納室５０は、扉４８が開かれることで、キッチン１６側から食品などの収納品の出し入れが可能になっている。
【００４８】
収納室５０では、仕切り壁４６の各々の内部に断熱材４６Ａが充填されている。断熱材４６Ａには、硬質発泡ウレタンフォーム等の発泡プラスチック系断熱材料、グラスウール等の繊維系断熱材料などが用いられている。また、収納室５０は、天井３４側（天井裏３４Ａ）及び床側（例えば床下）に断熱材が配置されている（図示省略）。
【００４９】
これにより、収納室５０は、内部が断熱材１４Ｃ、４６Ａによって断熱され、内部温度が外気温やキッチン１６内の温度（住宅１０の屋内温度、内気温度）に影響を受けるのが抑制されている。なお、扉４８は、断熱性を有する材料が用いられて形成されてもよく、これにより、収納室５０内の断熱性がより向上されて好ましい。
【００５０】
一方、収納室５０に設置された吹出し口４０Ａには、吹出し口開閉手段としてのシャッタ（図示省略）が設けられており、シャッタは、手動で操作される。吹出し口４０Ａは、シャッタが操作されることで開閉され、シャッタによって開放されることで、空調風の吹き出しが可能になる。
【００５１】
また、収納室５０の扉４８には、通気部としての通気口（ガラリ）５２が形成されており、通気口５２は、扉４８の下部において（床側部分）に貫通形成されて、キッチン１６と収納室５０内とを連通可能にしている。通気口５２には、通気部開閉手段としてのシャッタ（図示省略）が設けられており、通気口５２は、手動で操作されるシャッタによって開閉可能にされている。
【００５２】
さらに、収納室５０には、換気部としての換気口５４が設置されている。換気口５４は、収納室５０の天井３４側において外壁部１２Ｂ（外壁部１２Ａでもよい）に貫通形成されており、換気口５４は、収納室５０内と屋外とを連通可能にしている。換気口５４には、換気部開閉手段としてのシャッタ（図示省略）が設けられており、換気口５４は、手動で操作されるシャッタによって開閉可能にされている。
【００５３】
これにより、収納室５０は、吹出し口４０Ａ及び通気口５２が閉じられた状態で換気口５４が開かれることで内部に外気が導入される。また、収納室５０は、換気口５４が閉じられた状態で、吹出し口４０Ａ及び通気口５２が開かれることで、吹出し口４０Ａから吹き出される空調風によって過空調状態にされる。この際、収納室５０では、通気口５２が開かれて内部の空気がキッチン１６へ流出可能とされることで、吹出し口４０Ａからの空調風の吹き出し効率が低下するのが抑制されている。
【００５４】
なお、吹出し口４０Ａ、通気口５２及び換気口５４は、シャッタにアクチュエータが設けられ、手動操作は、操作パネルのスイッチ操作によってアクチュエータが動作して行なわれるものであってもよい。
【００５５】
以下に、本実施形態の作用を説明する。
住宅１０には、全館空調システム３０が設置されており、全館空調システム３０は、屋内及び屋外から空気を取り込んで生成した空調風を、吹出し口４０から屋内に吹き出す。これにより、住宅１０では、屋内が換気されると共に、外気温度の低い冬季などにおいては屋内が暖房され、外気温度の高い夏季などにおいては屋内が冷房される。
【００５６】
この住宅１０のキッチン１６には、吹出し口４０Ａが設けられると共に、吹出し口４０Ａの周囲が一対の仕切り壁４６等によって囲われて収納室５０が形成されている。また、収納室５０では、吹出し口４０Ａ、通気口５２及び換気口５４の各々がシャッタによって開閉可能にされている。
【００５７】
ここで、図３（Ａ）に示すように、住宅１０では、外気温度の低い冬季などにおいて、収納室５０の吹出し口４０Ａ及び通気口５２が閉じられると共に、換気口５４が開かれる。これにより、収納室５０では、吹出し口４０Ａからの空調風の吹き出し及び通気口５２からの屋内（キッチン１６）からの空気の流入が制限された状態で、換気口５４から外気が導入されて（図３（Ａ）の矢印参照）、外気によって内部が冷却される。
【００５８】
これにより、住宅１０では、全館空調システム３０によって屋内が暖房されている状態であっても、収納室５０の内部温度が外気温度と同様の温度に維持されるので、住宅１０では、収納室５０を冬季において内部温度の低い保冷室として用いることができる。
【００５９】
また、図３（Ｂ）に示すように、住宅１０では、外気温度の高い夏季などにおいて、収納室５０の換気口５４が閉じられると共に、吹出し口４０Ａ及び通気口５２が開かれる。これにより、収納室５０では、換気口５４からの外気の流入が制限された状態で、吹出し口４０Ａから空調風が吹き出されて（図３（Ｂ）の実線矢印参照）、吹出し口４０Ａから吹き出される空調風によって内部が過空調状態にされる。
【００６０】
全館空調システム３０では、外気温度の高い夏季などにおいて、吹出し口４０から吹き出される空調風（冷房風）によって屋内を冷房する。このため、収納室５０内は、吹出し口４０Ａから吹き出される空調風によって冷却される。これにより、収納室５０は、外気温度の高い夏季において、屋内を冷房する全館空調システム３０の空調風によって内部が冷却されるので、収納室５０は、夏季においても内部温度の低い保冷室として用いることができる。
【００６１】
また、収納室５０は、通気口５２が開かれることで、内部の空気が通気口５２から排出されるので（図３（Ｂ）の二点鎖線矢印参照）、吹出し口４０Ａからの空調風の吹出し効率が向上されて、内部温度の上昇が抑制される。
【００６２】
さらに、収納室５０の通気口５２は、換気扇２８が設けられたキッチン１６のレンジ２２へ向けて開口されている。このため、換気扇２８が作動されることで、キッチン１６において通気口５２から換気扇２８へ向けて空気が流れるので、収納室５０では、通気口５２から内部の空気を効果的に排出できる。これにより、住宅１０では、収納室５０の内部が効率的に冷却される。
【００６３】
したがって、住宅１０では、外気温度の低い冬季などに限らず、外気温度の高い夏季などにおいても、収納室５０を保冷室として用いることができて、収納室５０の利便性が向上される。また、収納室５０は、周囲が断熱材１４Ｃ、４６Ａによって囲われているので、内部温度が外気温度や住宅１０の内気温度の影響を受けるのが抑制される。
【００６４】
一方、住宅１０では、外気温度の高い夏季などにおいて、収納室５０の換気口５４を開くことができると共に、吹出し口４０Ａ及び通気口５２を閉じることができる。これにより、住宅１０では、外気温度の高い夏季などにおいて、収納室５０の内部温度が外気温度と同様の高い温度に維持される。
【００６５】
また、住宅１０では、外気温度の低い冬季などにおいて、収納室５０の換気口５４を閉じると共に、吹出し口４０Ａ及び通気口５２を開くことができる。これにより、住宅１０では、外気温度の低い冬季などにおいて、収納室５０の内部温度が内気温度よりも高い温度に維持される。
【００６６】
したがって、住宅１０では、外気温度や内気温度にかかわらず、収納室５０の内部温度を高くできるので、収納室５０を保冷室のみでなく、保温室として用いることができ、収納室５０の利便性がより向上される。このため、収納室５０は、例えば、外気温度の高い環境下に生息する動植物用の飼育室等として用いることができる。
【００６７】
なお、本実施形態では、吹出し口４０Ａ、通気口５２及び換気口５４の各々にシャッタを設けて、シャッタの各々を手動操作することで、吹出し口４０Ａ、通気口５２及び換気口５４の各々を個別に開閉可能とした。しかしながら、吹出し口４０Ａ、通気口５２及び換気口５４は、互いに連動して開閉される構成としてもよい。
【００６８】
次に本実施形態の変形例を説明する。
〔変形例１〕
本実施形態では、吹出し口４０Ａ、通気口５２及び換気口５４の各々を手動で開閉操作されるように説明した。しかしながら、吹出し口４０Ａ、通気口５２及び換気口５４の各々は、アクチュエータによって自動開閉されてもよい。また、吹出し口４０Ａ、通気口５２及び換気口５４の各々は、外気温度及び内気温度に基づいて開閉が制御されてもよい。
【００６９】
変形例１では、操作装置６０が吹出し口４０Ａ、通気口５２及び換気口５４の開閉操作を行う。図４には、変形例１に係る操作装置６０の概略構成が示されている。
【００７０】
図４に示すように、操作装置６０は、制御部としてのコントローラ６２を備えている。また、操作装置６０には、吹出し口４０Ａを開閉するアクチュエータ６４Ａ、通気口５２を開閉するアクチュエータ６４Ｂ、及び換気口５４を開閉するアクチュエータ６４Ｃが設けられており、アクチュエータ６４Ａ〜６４Ｃには、モータやソレノイド等の電気的な駆動手段が用いられている。さらに、操作装置６０には、外気温度Ｔｏを検出する外気温検出手段としての温度センサ６６Ａ、及び住宅１０の内気温度Ｔｉを検出する内気温検出手段としての温度センサ６６Ｂが設けられている。
【００７１】
操作装置６０では、アクチュエータ６４Ａ〜６４Ｃ及び温度センサ６６Ａ、６６Ｂの各々がコントローラ６２に接続されている。操作装置６０では、温度センサ６６Ａ、６６Ｂによって検出される外気温度Ｔｏ及び内気温度Ｔｉに基づいてコントローラ６２がアクチュエータ６４Ａ〜６４Ｃの作動を制御して、吹出し口４０Ａ、通気口５２及び換気口５４の開閉を制御する。
【００７２】
ここで、全館空調システム３０によって常時空調が行なわれる住宅１０では、外気温度Ｔｏが低く、内気温度Ｔｉを高くする必要がある場合、屋内が暖房され、外気温度Ｔｏが高く、内気温度Ｔｉの温度を下げる必要がある場合、屋内が冷房される。
【００７３】
コントローラ６２は、外気温度Ｔｏが内気温度Ｔｉよりも低いか否かを確認し、外気温度Ｔｏが内気温度Ｔｉ以下の場合（Ｔｏ≦Ｔｉ）、換気口５４を開き、かつ吹出し口４０Ａ及び通気口５２を閉止するようにアクチュエータ６４Ａ〜６４Ｃを作動させる。これにより、収納室５０には、換気口５４から外気が入り込み、収納室５０内は、内気温度Ｔｉに比して低い外気温度Ｔｏと略同様の温度にされる。
【００７４】
また、コントローラ６２は、外気温度Ｔｏが内気温度Ｔｉより高い場合（Ｔｏ＞Ｔｉ）、換気口５４を閉止し、かつ吹出し口４０Ａ及び通気口５２を開くようにアクチュエータ６４Ａ〜６４Ｃを作動させる。これにより、収納室５０内は、外気が入り込むのが制限され、吹出し口４０Ａから空調風によって内気温度Ｔｉよりも低い温度にされる。
【００７５】
したがって、収納室５０内は、住宅１０の内気温度Ｔｉに比して低い温度に維持され、収納室５０は、食料品などの保存に適した保冷室として機能される。
【００７６】
一方、操作装置６０は、外気温度Ｔｏが内気温度Ｔｉ以上の場合（Ｔｏ≧Ｔｉ）、換気口５４を開き、かつ吹出し口４０Ａ及び通気口５２を閉止し、外気温度Ｔｏが内気温度Ｔｉより低い場合（Ｔｏ＞Ｔｉ）、換気口５４を閉止し、かつ吹出し口４０Ａ及び通気口５２を開くようにしてもよい。
【００７７】
これにより、収納室５０は、外気温度や内気温度にかかわらず、内部温度が高くされるので、保冷室のみでなく、保温室として用いることができ、利便性がより向上される。
【００７８】
なお、変形例１では、外気温度Ｔｏと内気温度Ｔｉとを検出するようにしたが、収納室５０内の温度を検出し、収納室５０内の温度を予め設定した温度又は温度範囲に維持するように、アクチュエータ６４Ａ〜６４Ｃを動作させるようにしてもよい。これにより、収納室５０内の温度を、例えば、２０°Ｃなどの温度に維持できて、収納室５０の利便性をより一層向上できる。
【００７９】
また、変形例１に係る操作装置６０は、全館空調システム３０に形成され、全館空調システム３０の作動を制御する制御部が、コントローラ６２の機能を実行するようにしてもよい。
【００８０】
〔変形例２〕
本実施形態（変形例１を含む）では、外壁部１２（１２Ｂ）に収納室専用の換気部としての換気口５４を設けた。しかしながら、換気部の構成は、これに限るものではない。変形例２では、換気部に全館空調装置の外気導入ダクトが用いている。図５には、変形例２に係る建物としての住宅７０の主要部が平面図にて示されている。
【００８１】
図５に示すように、変形例２に係る住宅７０は、基本的構成が住宅１０と同様であるが、住宅７０では、収納室５０に変えて収納室７２が形成されている。また、住宅７０には、全館空調装置としての全館空調システム７４が設置されており、全館空調システム７４は、基本的構成が全館空調システム３０と同様とされているが、外気導入ダクト３６に変えて外気導入ダクト７６が設けられている点で相違する。
【００８２】
住宅７０には、外壁部１２Ａと外壁部１２Ｂとの角部側にキッチン７８が配置されている。キッチン７８には、外壁部１２Ｂ側に流し台２０及びレンジ２２が設置されており、レンジ２２は、流し台２０の外壁部１２Ａ側に配置されている。また、住宅７０では、ダイニング１８側にキッチンカウンタ８０が設置されている。さらに、住宅７０では、トイレ２６Ｄが廊下２６Ａから出入可能とされ、洗面室２６Ｂが廊下２６Ａ及びキッチン７８から出入可能にされている。
【００８３】
この住宅７０では、流し台２０と洗面室２６Ｂとの間において、流し台２０側に冷蔵庫２４Ｂが配置され、洗面室２６Ｂ側に収納室７２が設置されている。収納室７２は、一対の仕切り壁４６、外壁部１２Ｂ及び外壁部１２Ｂとは反対側の扉４８によって区画されている。また、収納室７２には、扉４８に通気口５２が形成されていると共に、天井に吹出し口４０Ａが取り付けられており、収納室７２では、吹出し口４０Ａから空調風の吹出しが可能にされている。
【００８４】
また、住宅７０には、キッチン７８の外壁部１２Ｂにおいてレンジ２２の上側の外壁部１２Ｂに換気扇２８が設置されている。
【００８５】
一方、住宅７０において、全館空調システム７４の外気導入ダクト７６は、天井裏３４Ａに敷設されている。この外気導入ダクト７６の中間部には、分岐チャンバ８２が設けられている。分岐チャンバ８２には、換気部を構成する分岐ダクト８４の一端が連結されており、分岐ダクト８４の他端は、収納室７２の換気部としての換気口８６に接続されている。
【００８６】
分岐チャンバ８２内には、換気部開閉手段としての開閉ダンパ（図示省略）が設けられており、分岐ダクト８４は、開閉ダンパが操作されることで、外気導入ダクト７６に連通可能にされている。分岐チャンバ８２では、開閉ダンパが閉じられることで、外気が室内機３２（図５では図示省略）に供給される。また、分岐チャンバ８２では、開閉ダンパが開かれることで、外気が室内機３２と共に分岐ダクト８４に供給される。これにより、収納室７２は、開閉ダンパが開かれることで外気導入ダクト７６、分岐チャンバ８２及び分岐ダクト８４を介して屋外に連通されて、外気が導入可能になる。
【００８７】
ここで、図６（Ａ）に示すように、住宅７０では、外気温度の低い冬季などにおいて、収納室７２の吹出し口４０Ａ及び通気口５２が閉じられると共に、分岐チャンバ８２内の開閉ダンパが開かれる。これにより、収納室７２では、吹出し口４０Ａからの空調風の吹き出し及び通気口５２からの屋内（キッチン１６）からの空気の流入が制限された状態で、換気口８６から外気が導入され（図６（Ａ）の矢印参照）、外気によって内部が冷却される。
【００８８】
したがって、住宅７０では、全館空調システム３０によって屋内が暖房されている状態であっても、収納室７２内の内部温度が外気温度と同様の温度に維持されるので、住宅７０では、収納室７２を冬季において内部温度の低い保冷室として用いることができる。
【００８９】
また、図６（Ｂ）に示すように、住宅７０では、外気温度の高い夏季などにおいて、分岐チャンバ８２の開閉ダンパが閉じられると共に、収納室７２の吹出し口４０Ａ及び通気口５２が開かれる。これにより、収納室７２では、換気口８６からの外気の流入が制限された状態で、吹出し口４０Ａから空調風（冷房風）が吹き出され（図６（Ｂ）の実線矢印参照）、吹出し口４０Ａから吹き出される空調風によって内部が冷却される（過空調状態にされる）。
【００９０】
したがって、住宅７０では、外気温度の高い夏季においても、収納室７２を内部温度の低い保冷室として用いることができる。また、収納室７２では、通気口５２が開かれることで、内部の空気が通気口５２から排出される（図６（Ｂ）において二点鎖線矢印参照）。このため、収納室７２では、吹出し口４０Ａからの空調風の吹出し効率が向上されて、内部温度の上昇が抑制される。しかも、収納室７２の通気口５２は、換気扇２８が設けられたキッチン７８のレンジ２２へ向けて開口されている。このため、換気扇２８が作動されることで、キッチン７８において通気口５２から換気扇２８へ向けて空気が流れるので、収納室７２では、通気口５２から内部の空気を効果的に排出できて、内部の冷却効率の向上が図られる。
【００９１】
また、住宅７０では、外気温度の高い夏季などにおいて、分岐チャンバ８２の開閉ダンパを開くと共に、収納室７２の吹出し口４０Ａ及び通気口５２を閉じることで外気温度の高い夏季などにおいて収納室７２内の温度を外気温度と同様の高い温度に維持できる。また、住宅７０では、外気温度の低い冬季などにおいて、分岐チャンバ８２の開閉ダンパを閉じると共に、収納室７２の吹出し口４０Ａ及び通気口５２を開くことで、外気温度の低い冬季などにおいて、収納室７２の内部温度を暖房されている内気温度より高くできる。
【００９２】
したがって、住宅７０では、外気温度や内気温度にかかわらず、収納室７２の内部温度を高くできるので、収納室７２を保冷室のみでなく、保温室として用いることができる。このように、住宅７０では、収納室７２を保冷室として用いたり、保温室として用いたりできるので、収納室７２の利便性を向上できる。しかも、収納室７２は、断熱材１４Ｃ、４６Ａによって囲われているので、内部温度が外気温度や住宅１０の内気温度の影響を受けるのが効果的に抑制される。
【００９３】
一方、住宅７０では、換気部として外気導入ダクト７６、分岐チャンバ８２及び分岐ダクト８４を用いている。これにより、住宅７０では、収納室７２を外壁部１２に隣接して形成することなく、外気の導入が可能となっている。したがって、住宅７０では、収納室７２を外壁部１２から離した位置に設置できるので、住宅の設計（間取り）において、収納室７２の設置位置の制限がなくなるので、住宅７０では、間取りの設計の自由度を高くできる。
【００９４】
なお、変形例２では、吹出し口４０Ａ、通気口５２及び開閉ダンパが手動操作されるように説明した。しかしながら、吹出し口４０Ａ、通気口５２及び開閉ダンパは、外気温度Ｔｏ及び内気温度Ｔｉに応じて開閉が制御されてもよく、また、全館空調システム７４の制御部（図示省略）によって作動が制御されてもよい。
【符号の説明】
【００９５】
１０、７０    住宅（建物）
１２（１２Ａ、１２Ｂ）    外壁部
１６、７８    キッチン
２８    換気扇
３０、７４    全館空調システム（全館空調装置）
３６、７６    外気導入ダクト
４０Ａ    吹出し口
４６    仕切り壁（区画壁）
４６Ａ    断熱材
４８    扉
５０、７２    収納室
５２    通気口（通気部）
５４、８６    換気口（換気部）
６０    操作装置
６４Ａ〜６４Ｃ    アクチュエータ（換気部開閉手段、通気部開閉手段、吹出し口開閉手段）
６６Ａ、６６Ｂ    温度センサ（温度検出手段）
８２    分岐チャンバ（換気部）
８４    分岐ダクト（換気部）
【図１】
2020041745.tif 000003
【図２】
2020041745.tif 000004
【図３】
2020041745.tif 000005
【図４】
2020041745.tif 000006
【図５】
2020041745.tif 000007
【図６】
2020041745.tif 000008